(57)【要約】【課題】空調設備を運転する場合に、省エネルギ運転と所望の空調環境の維持をバランスよく行うことのできる空調制御技術を提供する。【解決手段】パターン設定部２６は、現在の運転環境に基づいて、過去に実在した空調設備の制御パターン及び判定結果を読み出し、それを参考にして現在の運転環境に適した新たな制御パターンを設定し、空調空間の今回の温度調節時に新たに設定した制御パターンでエアコン１２を駆動し空調調整を行う。また、パターン設定部２６は、新たに設定した制御パターンをその時の運転環境と対応付けて更新し記憶部１６に記憶することにより、次回の制御パターン設定時に活用することができる。その結果、現在の運転環境に適した新たな制御パターンにより省エネルギ運転と所望の空調環境の維持運転をバランスよく行う。【選択図】図１
2005337532.tif 000002
【特許請求の範囲】
【請求項１】
所定の空調空間の温度を調整するために、空調設備の制御期間中に所定の制御パターンで当該空調設備を制御する空調制御装置であって、
空調制御の結果、前記空調空間が所定の制御レベルを満たすか否かを、前記空調設備の運転環境に基づき判定を行う判定部と、
前記空調設備の運転環境に対応付けて、その時の運転設備の制御パターン及び判定結果を記憶する記憶部と、
現在の運転環境を用いて前記記憶部から、空調設備の過去の制御パターン及び判定結果を読み出し、今回の空調設備の制御パターンを設定するパターン設定部と、
設定した制御パターンをその時の運転環境に対応付けて更新する更新部と、
を含むことを特徴とする空調制御装置。
【請求項２】
前記パターン設定部は、現在の運転環境と類似する運転環境における空調設備の過去の制御パターン及び判定結果を前記記憶部から読み出し、当該類似する運転環境の制御パターン及び判定結果に基づきパターン設定を行うことを特徴とする請求項１記載の空調制御装置。
【請求項３】
前記パターン設定部は、読み出した運転環境の判定結果に応じて、空調設備の冷暖運転の休止時間を延長するパターン設定と、空調設備の冷暖運転の休止時間を短縮するパターン設定を行うことを特徴とする請求項１または請求項２記載の空調制御装置。
【請求項４】
前記パターン設定部は、空調設備の過去の制御パターン及び判定結果の読み出しができない場合、空調設備の冷暖運転の休止時間を制御可能な最小時間に設定することを特徴とする請求項１記載の空調制御装置。
【請求項５】
前記パターン設定部は、現在の空調空間の空調状態が所定制御レベルに達していない場合、予め設定されたパターン設定を行うことを特徴とする請求項１記載の空調制御装置。
【請求項６】
前記更新部は、現在の空調空間の空調状態が所定制御レベルに達していない場合、設定した制御パターンの更新を行わないことを特徴とする請求項５記載の空調制御装置。
【請求項７】
所定の空調空間の温度を調整するために、空調設備の制御期間中に所定の制御パターンで当該空調設備を制御する空調制御方法であって、
空調制御の結果、前記空調空間が所定の制御レベルを満たすか否かを、前記空調設備の運転環境に基づき判定を行うステップと、
前記空調設備の運転環境に対応付けて、その時の運転設備の制御パターン及び判定結果を記憶するステップと、
現在の運転環境を用いて前記記憶部から、空調設備の過去の制御パターン及び判定結果を読み出し、今回の空調設備の制御パターンを設定するステップと、
設定した制御パターンをその時の運転環境に対応付けて更新するステップと、
を含むことを特徴とする空調制御方法。
【発明の詳細な説明】
【技術分野】
【０００１】
本発明は、空調制御装置及び空調制御方法、特に省エネルギ運転と所望の空調環境の維持運転をバランスよく行う制御を実現する技術に関する。
【背景技術】
【０００２】
従来から、空調設備の制御を行うことにより、一般家屋やビル等を含む施設の室内の冷暖房や、店舗の室内の冷暖房、ショーケース等の冷暖制御等を行い、外気温に関わりなく、室内温度や庫内温度を所望の温度に調整するようにしている。特に、店舗や施設の室内温度や庫内温度は常時適切な設定温度に維持することが望ましい。その一方で、空調設備運転のための消費電力量は膨大になるため、適宜省エネルギ運転を行うことが望ましい。
【０００３】
空調設備の省エネルギ制御の方法として、例えば、一定時間、冷暖運転を休止したり、送風のみを行う方法がある。例えば、空間温度がある設定された値よりも低くなった場合（冷房時）に送風運転に切り替え、別の設定された値より高くなった場合に通常の冷房運転に戻すような制御を行う。この場合、冷房運転の休止時間に応じて消費電力量の低減が期待できる（例えば、特許文献１参照）。また、電力会社との電力料金の契約の形態の一つに１年間の中で電力の一番使っている３０分間をとらえて契約電力を決定するものがある。この場合、契約電力の増大を回避するために、３０分間に電力消費が集中しないように制御するデマンド制御が採用される場合がある。デマンド制御とは、例えば、最初に想定した契約電力量を超えそうになった場合に、電気を強制的に遮断してしまう制御である。空調設備の場合、このまま使用し続けると設定したピークの電力量に到達してしまうという場合に、空調運転を停止することになる。
【特許文献１】特開２００３−３０７３３１号公報
【発明の開示】
【発明が解決しようとする課題】
【０００４】
しかし、その時の環境状態によっては、冷暖運転を休止し、例えば送風運転を行って省エネルギ効率を向上させた場合に、運転切り替え後の温度変化量が大きくなってしまう場合がある。例えば冷房運転の場合、設定された値（上限値）に到達してから通常冷房運転に戻すと、運転再開までにさらに環境状態を悪化させてしまい、元の環境状態に戻すために時間を要してしまい、環境の快適性を低下させてしまうおそれがある。上限値を低く設定しておけば、前述のような事態を防止することができるが、環境状態によって温度上昇率が低い場合には、休止運転の時間が短くなり、十分な省エネルギ効果が得られない状態のまま通常運転に復帰してしまい省エネルギ効率が低下してしまう。また、暖房運転の場合も同様な問題が発生する。
【０００５】
また、デマンド制御を行う場合、現在の周囲環境の状態がどのようなものであっても、設定したピーク電力を超えるおそれがある場合に、強制的に電力の遮断を行ってしまう。このとき、省エネルギ効率を優先させて休止時間の設定を長くすれば環境の快適性が低減しまうし、逆に快適性を優先させ休止時間を短くすれば省エネルギ効率が低減する。
【０００６】
つまり、従来技術においては最適な環境維持と、省エネルギ効果の向上とをバランスよく行うことが困難であるという問題がある。
【０００７】
本発明は、このような課題に鑑みてなされたものであり、その目的は、省エネルギ運転と所望の空調環境の維持運転をバランスよく行う空調制御装置及び空調制御方法を提供することを目的とする。
【課題を解決するための手段】
【０００８】
上記課題を解決するために、本発明のある態様は、所定の空調空間の温度を調整するために、空調設備の制御期間中に所定の制御パターンで当該空調設備を制御する空調制御装置であって、空調制御の結果、前記空調空間が所定の制御レベルを満たすか否かを、前記空調設備の運転環境に基づき判定を行う判定部と、前記空調設備の運転環境に対応付けて、その時の運転設備の制御パターン及び判定結果を記憶する記憶部と、現在の運転環境を用いて前記記憶部から、空調設備の過去の制御パターン及び判定結果を読み出し、今回の空調設備の制御パターンを設定するパターン設定部と、設定した制御パターンをその時の運転環境に対応付けて更新する更新部と、を含むことを特徴とする。
【０００９】
ここで制御期間とは、予め設定された単位時間であり、例えば３０分等である。また、制御パターンとは、空調設備の駆動時間と休止時間とから構成されるパターンである。なお、休止時間時には、設備の完全な停止の他、冷暖運転を行わない送風運転を含むものとする。また、制御レベルとは、例えば、設定温度や温度変化率で規定されるレベルである。また、運転環境とは、空調設備の配置される空間の周囲温度や湿度、実際の空調空間の温度や湿度を意味する。また、運転環境には空調設備の運転されている時間帯等を含んでもよい。
【００１０】
この構成によれば、現在の運転環境に基づいて、過去に実在した空調設備の制御パターン及び判定結果を読み出し、それを参考にして現在の運転環境に適した新たな制御パターンを設定し、今回の空調空間の温度調節に反映させることができる。また、新たに設定した制御パターンをその時の運転環境と対応付けて更新することにより、次回の制御パターン設定時に活用することができる。このように、現在の運転環境に適した新たな制御パターンを設定することにより省エネルギ運転と所望の空調環境の維持運転をバランスよく行うことができる。
【００１１】
また、この態様の空調制御装置において、前記パターン設定部は、現在の運転環境と類似する運転環境における空調設備の過去の制御パターン及び判定結果を前記記憶部から読み出し、当該類似する運転環境の制御パターン及び判定結果に基づきパターン設定を行うことができる。
【００１２】
ここで、現在の運転環境と類似する運転環境とは、ある幅をもった条件を満たす運転環境であり、例えば温度を条件とする場合、「２４．０℃〜２４．５℃」等であるが、もちろん、類似の中には現在の運転環境と完全一致するものも含む。従って、記憶部からの読み出しを行う場合、まず、完全一致する条件を検索し、該当するデータが無い場合に幅を持つ条件の検索を行うようにしてもよい。
【００１３】
この構成によれば、参考にできる過去の運転環境の選択が容易になりパターン設定をスムーズに行うことができる。
【００１４】
また、この態様の空調制御装置において、前記パターン設定部は、読み出した運転環境の判定結果に応じて、空調設備の冷暖運転の休止時間を延長するパターン設定と、空調設備の冷暖運転の休止時間を短縮するパターン設定を行うことができる。
【００１５】
例えば、読み出した運転環境における制御パターンで空調制御を行った場合に、空調空間を所望の温度状態に制御することができた場合、空調設備の冷暖運転の休止時間を延長するパターン設定を行い、空調空間を所望の温度状態に制御することができなかった場合に、空調設備の冷暖運転の休止時間を短縮するパターン設定を行う。休止時間の延長や短縮の時間は任意であるが、例えば、１分単位とすることができる。また、延長時と短縮時は同じ量の調節時間でもよいし、それぞれ異なる時間としてもよい。
【００１６】
この構成によれば、過去の同じような運転環境において、良好な温度調節が行われた実績がある場合には、空調設備の冷暖運転の休止時間を延長し、省エネルギ効果を優先させることができる。一方、過去の同じような運転環境において、良好な温度調節ができなかった場合には、空調設備の冷暖運転の休止時間を短縮し、積極的に冷暖効率を向上させて空調空間の快適性の改善を優先させた制御を行うことができる。従って、省エネルギ運転と所望の空調環境の維持運転をバランスよく行う制御を実現することができる。
【００１７】
また、この態様の空調制御装置において、前記パターン設定部は、空調設備の過去の制御パターン及び判定結果の読み出しができない場合、空調設備の冷暖運転の休止時間を制御可能な最小時間に設定することができる。
【００１８】
ここで休止時間を制御可能な最小時間とは、空調設備の連続運転中において、運転状態の切り替えをスムーズに行うことのできる最小時間であり、例えば、運転していたコンプレッサが停止した後、再び運転を再開するために必要となる時間であり、例えば３分である。
【００１９】
また、この態様の空調制御装置において、前記パターン設定部は、現在の空調空間の空調状態が所定制御レベルに達していない場合、予め設定されたパターン設定を行うことができる。
【００２０】
ここで、所定制御レベルとは、例えば、冷房の場合、設定温度に対する冷え方が「良い」、「今ひとつ不十分」「悪い」等であり、制御上では、現在温度ｘとした場合、設定温度ｙに対し、「ｘ≦ｙ＋０．５℃」が「良い」、「ｙ＋０．５℃＜ｘ≦ｙ＋１．０℃」が「今ひとつ不十分」、「ｘ＞ｙ＋１．０℃」が「悪い」等により判別することができる。また、予め設定されたパターン設定とは、空調運転の休止無しや短時間の休止運転等である。
【００２１】
これらの構成によれば、様々な運転環境において制御パターンの設定をスムーズに行うことができる。なお、前述した空調設備の冷暖運転の休止時間を短縮する場合の短縮下限値は、上述の最小時間にすることができる。
【００２２】
また、この態様の空調制御装置において、前記更新部は、現在の空調空間の空調状態が所定制御レベルに達していない場合、設定した制御パターンの更新を行わないものとすることができる。
【００２３】
この構成によれば、現在の空調期間の空調状態が良好でない場合、例外的に一度だけの制御を行い、後に行われるパターン設定に影響しないようにすることができる。この構成によれば、パターン設定の精度を向上することができる。
【００２４】
なお、以上の構成要素の任意の組み合わせ、本発明の表現方法、装置、システム、記憶媒体、コンピュータプログラムなどの間で変換したものもまた、本発明の態様として有効である。
【発明の効果】
【００２５】
本発明によれば、現在の運転環境に基づいて、過去に実在した空調設備の制御パターン及び判定結果を読み出し、それを参考にして現在の運転環境に適した新たな制御パターンを設定することができる。その結果、過去の空調調整の結果を今回の空調空間の温度調節に反映させることができる。また、新たに設定した制御パターンをその時の運転環境と対応付けて更新することにより、次回の制御パターン設定時に活用することができる。従って、現在の運転環境に適した新たな制御パターンで空調設備を運転することにより、省エネルギ運転と所望の空調環境の維持運転をバランスよく行うことができる。
【発明を実施するための最良の形態】
【００２６】
本発明の実施の形態における空調制御装置は、空調設備、例えば店舗や施設における空気調和装置（いわゆるエアコン）等の空調機器や、店舗におけるショーケース等の冷設機器などを運転する場合に、空調空間を所望の温度状態に制御することと、空調設備の省エネルギ効果を向上させることをバランスよく行うための制御パターンを設定するものである。従って以下の説明では、エアコンの存在する空調空間の制御パターンを設定する技術を示す。なお、本実施の形態において、単位時間の空調制御をバランスよく行うことで、全体のバランスを良好に行うことができるものとする。前述のように、電力量消費の大きな店舗・施設等と電力会社との間で契約されることの多い契約形態の一つとして、１年間の中で電力の一番使っている３０分間をとらえて契約電力を決定するものがある。従って、本実施の形態では、例えば、３０分を単位時間として、この単位時間内で積極的に温度変化を促す冷暖運転と、当該冷暖運転を休止して送風のみを行い省エネルギ効率を向上させる休止運転とからなる制御パターンを設定する例を説明する。
【００２７】
図１には、本実施の形態に係る空調制御装置１０を含む機能概念ブロック図が示されている。この空調制御装置１０は、室内機１２ａ及び室外機１２ｂを含むエアコン１２を制御する制御部１４と、制御内容の記憶を順次行う記憶部１６とを含んでいる。また、制御部１４には、室内機１２ａの周辺の温度、必要に応じて湿度やその他の環境データを収集可能な環境センサ、例えば空調空間の温度を収集する温度センサ１８ａと、室外機１２ｂの周辺の温度、必要に応じて湿度やその他の環境データを収集可能な環境センサ、例えば外気環境の温度を収集する温度センサ１８ｂが接続されている。なお、室内機１２ａが複数存在する構成の場合、温度センサ１８ａは個々に配置することが望ましいが、同一空間と見なすことができる場合には、共用化してもよい。同様に、室外機１２ｂが複数存在する構成の場合、温度センサ１８ｂは個々に配置することが望ましいが、同一空間と見なすことができる場合には、共用化してもよい。この他、制御部１４には、エアコン１２を駆動することにより消費される電力量を計測する電力量計２０が接続され、制御部１４は、消費電力量が所定の設定値を極力超えないように以下に説明する制御を行うことになる。
【００２８】
制御部１４は、温度センサ１８ａ，１８ｂを介して、常時または、所定の測定タイミングで温度等を検出する温度監視部２２と、空調空間（例えば、施設の室内）の空調制御が所定の制御レベルを満たすか否かを空調設備の運転環境に基づいて判定する判定部２４と、現在の運転環境を用いて記憶部１６から、条件に適したエアコン１２（空調設備）の制御パターン及びその制御パターンでエアコン１２を運転した場合の判定結果を読み出し、今回の空調設備の制御パターンを設定するパターン設定部２６と、パターン設定部２６で設定した制御パターンをその時の運転環境に対応付けて更新し、記憶部１６に記憶させる更新部２８と、パターン設定部２６が設定した制御パターンに基づいて、室外機１２ｂのコンプレッサ（不図示）を制御するコンプレッサ制御部３０等を含んでいる。
【００２９】
このように構成される空調制御装置１０の動作を図２に示すフローチャートに基づいて説明する。なお、図２の場合、空調設備であるエアコン１２が冷房運転を行う場合を例にとり説明する。
【００３０】
本実施の形態の場合、空調制御装置１０の制御部１４は、コンプレッサ制御部３０を介してエアコン１２の動作開始、すなわち、コンプレッサの運転開始が行われたか否かの監視を行っている（Ｓ１００のＹまたはＮ）。もし、コンプレッサが運転を開始した場合（Ｓ１００のＹ）、まず、コンプレッサが実行し得る最短の休止時間を含む制御パターン（最短送風制御）でエアコン１２の最初の単位時間（例えば３０分）を駆動する（Ｓ１０１）。コンプレッサが実行し得る最短の休止時間を含む制御パターンとは、コンプレッサの運転状態の切り替えをスムーズに行うことのできる最小時間であり、例えば、運転していたコンプレッサが停止した後、再び運転を再開するために必要に時間であり、例えば３分である。従って、制御部１４のパターン設定部２６によりステップ（Ｓ１０１）で設定される最短送風制御による制御パターンは、最初の２７分間だけ冷房運転を行い、残りの３分間で送風運転することになる。
【００３１】
温度監視部２２は、温度センサ１８ａを用いて、室内機１２ａの存在する空調空間の温度を測定する。同様に、温度センサ１８ｂを用いて、室外機１２ｂの存在する屋外等の温度（外気温）の測定を行い、これらを現在の運転環境として記憶部１６に記憶する（Ｓ１０２）。なお、温度監視部２２は、連続的な温度測定を行ってもよいし、所定時間間隔（例えば、１分間隔や３分間隔等任意）で測定を行ってもよいが、少なくとも、冷房運転の開始タイミングと、休止運転の開始タイミング、休止運転の終了タイミング（＝冷房運転の開始タイミング）で運転環境の記憶を行うことが望ましい。
【００３２】
続いて、判定部２４は、次の単位時間の制御パターンを決定するために、現在の空調空間の空調状態が良好か否かの判定を行う（Ｓ１０３）。この場合、例えば、過去３０分の冷房運転により、設定温度ｙに対しどの程度冷やすことができたか否かで判断することができる。例えば、現在温度ｘとした場合、「ｘ≦ｙ＋０．５℃」が「良い」、「ｙ＋０．５℃＜ｘ≦ｙ＋１．０℃」が「今ひとつ不十分」、「ｘ＞ｙ＋１．０℃」が「悪い」等により判別することができる（Ｓ１０４）。もちろん、この判別温度は任意に設定することが可能であり、空調制御装置１０の動作性能の調整を行うことができる。
【００３３】
例えば、３０分間冷房運転を行った結果、判定部２４において、「良い」と判断された場合（Ｓ１０４の良）、パターン設定部２６は、記憶部１６を検索し、現在の運転環境と類似する運転環境が過去に存在したか否かの判断を行う（Ｓ１０５）。ここで、類似する運転環境とは、ある幅をもった条件を満たす運転環境であり、例えば温度を条件とする場合、「２４．０℃〜２４．５℃」等である。もちろん、類似の中には現在の運転環境と完全一致するものも含む。また、温度監視部２２が運転環境を記憶部１６に記憶する時に、その時の湿度や天候、時間帯、季節等を温度と関連付けて記憶しておき、現在の運転環境に対応する類似環境を検索するための条件とすることで、より精度の高い過去データの検索が可能になり、今回設定する制御パターンの信頼性を向上することができる。
【００３４】
検索の結果、現在の運転環境に類似する運転環境が過去に存在する場合（Ｓ１０５のＹ）、パターン設定部２６は、該当する類似環境の制御パターン及びその制御パターンでエアコン１２の制御を行った場合に良好な空調制御がでたか否かを示す判定結果を示すデータを記憶部１６から読み出す（Ｓ１０６）。なお、ここで言うところの判定結果とは、パターン設定部２６により設定された制御パターンにより空調設備の空調制御が行われた結果、良好な空調制御が行われたか否かを意味するもので、例えば、送風運転を行った場合に、室内機１２ａ近傍に設定された温度センサ１８ａの温度変化量を測定し、予め設定された温度上昇率以下であれば、送風運転を行っても空調空間の温度状態悪化を招かないと判断し、その制御パターンが「良」であると判断される。一方、温度変化量が、予め設定された温度上昇率より大きくなった場合、送風運転により空調空間の温度状態悪化を招いてと判断し、その制御パターンが「否」と判断される。なお、この判定も判定部２４で行うことができるが、別途専用の判別部を設けてもよい。
【００３５】
パターン設定部２６は、今回の運転環境に類似する運転環境の判定結果が「良」である場合（Ｓ１０７の良）、今回の運転環境において前回と同様にエアコン１２を制御した場合、同様に良好な空調効果が得られる可能性が高いと判断すると共に、さらに省エネルギ制御ができる可能性が高いと判断する。つまり、さらに長い時間送風運転を行っても空調空間の温度状態を悪化させない可能性が十分にあると判断し、直前に行った空調制御の送風時間に対し、今回の送風時間を所定時間（例えば、ｔ＝１分）増加する（Ｓ１０８）。一方、今回の運転環境に類似する運転環境の判定結果が「否」である場合（Ｓ１０７の否）、今回の運転環境において前回と同様にエアコン１２を制御した場合、良好な空調効果が得られない可能性が高いと判断すると共に、前回の省エネルギ制御は過剰であった可能性が高いと判断する。つまり、送風運転を短くしなければ現在の空調空間の温度状態を改善できないと判断し、直前の送風時間に対して今回の送風時間を所定時間ｔ（例えば、ｔ＝１分）短縮する（Ｓ１０９）。なお、直前の送風時間が最短送風時間にセットされていた場合、今回も最短送風時間にセットすることになる。なお、最短送風時間のセットが連続した場合、一時的に送風制御を中止する制御を行ってもよい。
【００３６】
また、検索の結果、ステップ（Ｓ１０５）で、現在の運転環境に類似する運転環境が過去に存在しないと判断した場合（Ｓ１０５のＮ）、パターン設定部２６は、今回の空調制御を再度最短の送風時間を含む制御パターンに設定する（Ｓ１１０）。
【００３７】
パターン設定部２６により、今回の送風制御が設定されたら、コンプレッサ制御部３０は所定のタイミングで送風制御を実行する（Ｓ１１１）。この送風制御の実行タイミングは任意にであるが、例えば、単位時間３０分の最後の期間に収まるように設定する。つまり、送風時間が４分に設定された場合、２６分の冷房運転を行った後、４分間の送風運転を実行し、次の単位時間のサイクルに移行する。その間、判定部２４は、送風運転が完了したか否かの監視を行い（Ｓ１１２のＹまたはＮ）、送風運転が完了した場合（Ｓ１１２のＹ）判定部２４は、前述したように、パターン設定部２６により設定された制御パターンにより空調設備の制御が行われた結果、良好な空調制御が行われたか否かを判断する（Ｓ１１３）。つまり、新たに設定した送風時間を含む制御パターンで送風運転を行った後、室内機１２ａ近傍に設定された温度センサ１８ａの温度変化量を測定し、予め設定された温度上昇率以下であれば、送風運転を行っても空調空間の温度状態悪化を招かないと判断し、今回設定した制御パターンが「良」であると判断する。一方、温度変化量が、予め設定された温度上昇率より大きくなった場合、送風運転により空調空間の温度状態悪化を招いたと判断し、その制御パターンが「否」と判断する。更新部２８は良否判定の結果を、その時の運転環境に対応付けて記憶部１６に更新記憶し（Ｓ１１４）、次回、今回と同様な運転環境が発生した場合に、今回の良否判定結果を利用する。
【００３８】
その後、制御部１４は、エアコン１２の継続運転が行われるか否かの判断を行い（Ｓ１１）、もし、継続運転が行われる場合（Ｓ１１５のＹ）、ステップ（Ｓ１０２）に戻り、現在の環境測定を行い、上述の各ステップを再度繰り返す。また、継続運転が中止された場合、つまり、エアコン１２の駆動が停止された場合（Ｓ１１５のＮ）、一連の処理を終了する。
【００３９】
一方、判定部２４がステップ（Ｓ１０４）で、現在までの空調状態は「今ひとつ不十分」であると判断した場合（Ｓ１０４の不十分）、パターン設定部２６は、例外的に今回の空調制御のみ、その送風時間を直前の送風時間に対して所定時間ｔ（例えば、ｔ＝１分）短縮する制御パターンに設定する（Ｓ１１６）。これは、前回の制御パターンにより概ね所定状態に近い空調制御ができるが、一時的に何らかの不確定要因による温度上昇があった場合に対応するものである。不確定要因とは、例えば人間の出入りによる空調空間内雰囲気の一時的な入れ替わりによる温度変化、事務機器等の放熱機器の一時的な使用による温度変化等を含む。なお、この場合、更新部２８は、今回の「今ひとつ不十分」であるという運転環境は、例外的に発生しているものであると判断し、その時の運転環境に対応する制御パターンの更新を行わない。
【００４０】
コンプレッサ制御部３０は、一時的に送風が短縮設定された制御パターンにより送風制御を行う（Ｓ１１７）。また、制御部１４は送風制御が完了したか否か監視を行う（Ｓ１１８のＹまたはＮ）。そして、送風運転が完了したと判断した場合、ステップ（Ｓ１１５）に移行し、エアコン１２の継続運転が行われるか否かの判定を行い、継続運転の場合（Ｓ１１５のＹ）再度上述の各ステップを繰り返し実行し、継続運転が中止された場合（Ｓ１１５のＮ）、一連の空調制御を停止し、次回のエアコン１２の再駆動に備える。
【００４１】
また、判定部２４がステップ（Ｓ１０４）で、現在までの空調状態は「悪」であると判断した場合（Ｓ１０４の悪）、パターン設定部２６は、例外的に今回の空調制御のみ、送風運転を中止し（Ｓ１１９）、単位時間中コンプレッサを連続運転させて、空調空間の雰囲気温度を低下させることを最優先する。現在の空調状態が「悪」と判断される原因は種々あるが、例えば、上述よりさらに、人間の出入りが頻繁に行われ空調空間の雰囲気が維持されないことが原因になる場合や、発熱機器の頻繁な使用が原因になる場合、空調空間の雰囲気が劣悪であった場合等ある。いずれの場合も更新部２８は例外的に発生している運転環境であると判断し、その時の運転環境に対応する制御パターンの更新を行わない。その後、制御部１４は、ステップ（Ｓ１１５）に移行し、エアコン１２の継続運転が行われるか否かの判定を行い、継続運転の場合（Ｓ１１５のＹ）再度上述の各ステップを繰り返し実行し、継続運転が中止された場合（Ｓ１１５のＮ）、一連の空調制御を停止し、次回のエアコン１２の再駆動に備える。ステップ（Ｓ１１５）に移行し、エアコン１２の継続運転が行われるか否かの判定を行い、再度上述の処理を行うか、処理を停止するかの判断を行う。
【００４２】
本実施の形態の場合、現在の空調状態が良好か否かの判断を行い、良好な場合のみ、過去の運転環境を参照し新たな空調の制御パターンを設定し、それ以外の場合は、例外的に空調環境を改善するように送風時間の短縮または送風の禁止を行い、その制御パターンのデータは、記憶部１６に反映しないようにしている。その結果、次回以降の制御パターン設定の信頼性を向上することができる。
【００４３】
以上のように、本実施の形態においては、現在の運転環境に基づき、記憶部１６から過去の類似する運転環境を読み出し、その運転環境における空調制御の良否に基づき今回の空調制御の制御パターンを決定している。その結果、現在の運転環境に応じて動的に送風運転を含む制御パターンの設定を行うことが可能になり、省エネルギ運転と所望の空調環境の維持運転をバランスよく行い、省エネルギ運転と空調環境維持運転の両者を最も効率的に行うことができる。
【００４４】
以上、実施の形態をもとに本発明を説明した。なお本発明はこの実施の形態に限定されることなく、そのさまざまな変形例もまた、本発明の態様として有効である。例えば、上述の実施の形態では、空調設備を冷房装置おして説明したが、暖房設備においても同様に、省エネルギ運転と所望の空調環境の維持運転をバランスよく行い、省エネルギ運転と空調環境維持運転の両者を最も効率的に行うことができる。
【００４５】
なお、この場合、図２のフローチャートにおいて、ステップ（Ｓ１０３）やステップ（Ｓ１１３）等の判定の基準温度等が変更される。すなわち、過去３０分の暖房運転により、設定温度ｙに対しどの程度暖めることができたか否かで判断することができる。例えば、ステップ（Ｓ１０３）の場合、現在温度ｘとした場合、「ｘ≦ｙ−０．５℃」が「良い」、「ｙ−０．５℃＜ｘ≦ｙ−１．０℃」が「今ひとつ不十分」、「ｘ＞ｙ−１．０℃」が「悪い」等により判別することができる。また、ステップ（Ｓ１１３）の場合、新たに設定した送風時間を含む制御パターンで送風運転を行った後、室内機１２ａ近傍に設定された温度センサ１８ａの温度変化量を測定し、予め設定された温度降下率以下であれば、送風運転を行っても空調空間の温度状態悪化を招かないと判断し、今回設定した制御パターンが「良」であると判断する。一方、温度変化量が、予め設定された温度降下率より大きくなった場合、送風運転により空調空間の温度状態悪化を招いたと判断し、その制御パターンが「否」と判断する。
【００４６】
例えば、図１に示す構成ブロック図において、制御部１４内に各機能毎に、温度監視部２２、判定部２４、パターン設定部２６、更新部２８等を設けたが、パーソナルコンピュータ等を用いて同様な機能を実現するプログラムを実行しても、本実施の形態と同様な効果を得ることができる。また、図１に示す構成は一例であり、同様な機能を果たす構成を含めば、任意に構成を変更しても本実施の形態と同様な効果を得ることができる。
【００４７】
同様に、図２のフローチャートも本実施の形態を説明するために一例であり、同様な処理を行うものでであれば、その内容を任意に変更しても本実施の形態と同様の効果を得ることができる。
【図面の簡単な説明】
【００４８】
【図１】実施の形態に係る空調制御装置の構成を説明する機能概念ブロック図である。
【図２】実施の形態に係る空調制御装置の動作手順を説明するフローチャートである。
【符号の説明】
【００４９】
１０  空調制御装置、１２  エアコン、１２ａ  室内機、１２ｂ  室外機、１４  制御部、１６  記憶部、１８ａ，１８ｂ  温度センサ、２０  電力量計、２２  温度監視部、２４  判定部、２６  パターン設定部、２８  更新部、３０  コンプレッサ制御部。
【図１】
2005337532.tif 000003
【図２】
2005337532.tif 000004